(57)【要約】【課題】顔とマスクの間の隙間を大幅に減少させるマスクホルダーを提供する。【解決手段】マスクホルダー２が、弾性体から形成され、使用者５の頭部に掛けられるベルト３と、ベルト３によって使用者５の顔に向けて付勢され、使用者５が装着したマスク７のフィルター７ａの外周部のみを顔に押し当てる押圧部４と、を有するものとする。【選択図】  図３
2022001676.tif 000002
【特許請求の範囲】
【請求項１】
弾性体から形成され、使用者の頭部に掛けられるベルトと、
前記ベルトによって前記使用者の顔に向けて付勢され、前記使用者が装着したマスクのフィルターの外周部のみを前記顔に押し当てる押圧部と、を有するマスクホルダー。
【請求項２】
前記押圧部が、前記外周部を断続的に前記顔に押し当てる請求項１に記載のマスクホルダー。
【請求項３】
前記押圧部は、
前記ベルトが取り付けられた中心部と、
前記使用者を正面から見たときに前記中心部から放射状に延び、先端部が前記外周部に接する複数のアームと、を有する請求項１又は２に記載のマスクホルダー。
【請求項４】
前記アームの内側に、前記アームの長手方向に沿って針金が配置されている請求項３に記載のマスクホルダー。
【請求項５】
前記アームは、前記先端部側の部分が、前記使用者の鼻に対して凹の向きに湾曲している請求項３又は４に記載のマスクホルダー。
【請求項６】
前記複数のアームは、
前記先端部が前記鼻に接する前記外周部の部分に接する鼻用アームと、
前記先端部が前記使用者の頬に接する前記外周部の部分に接する頬用アームと、
前記先端部が前記使用者の顎に接する前記外周部の部分に接する顎用アームと、から構成される請求項３から５のいずれか一項に記載のマスクホルダー。
【請求項７】
前記頬用アームは、
前記先端部が、前記使用者の右側の前記頬の上部に接する前記外周部の部分に接する第１の頬用アームと、
前記先端部が、前記使用者の左側の前記頬の上部に接する前記外周部の部分に接する第２の頬用アームと、
前記先端部が、前記使用者の右側の前記頬の中央部に接する前記外周部の部分に接する第３の頬用アームと、
前記先端部が、前記使用者の左側の頬の中央部に接する前記外周部の部分に接する第４の頬用アームとから構成される請求項６に記載のマスクホルダー。
【請求項８】
前記顎用アームは、
前記先端部が、前記使用者の前記顎の中央部に接する前記外周部の部分に接する第１の顎用アームと、
前記先端部が、前記使用者の前記顎の右側部分に接する前記外周部の部分に接する第２の顎用アームと、
前記先端部が、前記使用者の前記顎の左側部分に接する前記外周部の部分に接する第３の顎用アームとから構成される請求項６又は７に記載のマスクホルダー。
【請求項９】
前記鼻用アームの前記先端部が、前記鼻に対応する鉤状に形成されている請求項６から８のいずれか一項に記載のマスクホルダー。
【請求項１０】
前記頬用アームの前記先端部と前記顎用アームの前記先端部が、前記外周部に沿って延びる棒状をしている請求項３から９に記載のマスクホルダー。
【請求項１１】
前記押圧部が、前記外周部を連続的に前記顔に押し当てる請求項１に記載のマスクホルダー。
【請求項１２】
前記押圧部は、
貫通穴が形成され、前記フィルターに対向するカバー部と、
前記カバー部の外周部から前記フィルター側に突出した立上り部と、を有する請求項１１に記載のマスクホルダー。
【請求項１３】
前記立上り部の内側に、前記立上り部の長手方向に沿って針金が配置されている請求項１２に記載のマスクホルダー。
【請求項１４】
さらに、前記押圧部と一体に形成され、前記使用者の目を保護するゴーグルを有する請求項１１から１３のいずれか一項に記載のマスクホルダー。
【発明の詳細な説明】
【技術分野】
【０００１】
本発明は、感染症及び花粉症の予防等に使用されるマスクの適切な装着状態を保つマスクホルダーに関するものである。
【背景技術】
【０００２】
現在、市販され使用されているマスクは、感染防止及び感染者からのウィルス飛沫の吸入防止に効果的な医療用のサージカルマスクも含め、多くのマスクは不織布フィルターを布で挟んだフィルターを有し、このフィルターがウィルス等の極微小異物（０．１μｍ以下）を捉える働きがある。ウィルス医療従事者は、さらにＮ９５マスクに代表されるような静電フィルター等によりフィルター性能を上げることで危険な医療現場でも使用できるマスクを使用している。このように、マスクはフィルター性能を大幅に向上させる事でウィルスにも対応できるように進化している。
【発明の概要】
【発明が解決しようとする課題】
【０００３】
しかしながら、顔とマスクとの間に大きい隙間が形成されるため、その隙間からのウィルスの浸入及び拡散は、従来のマスクの大きな欠点となっている。特に、耳にゴム紐を掛けるマスクの場合、フィルターがゴム紐によって顔の左右方向に引っ張られ、鼻周辺に隙間が生じやすい。この鼻周辺での隙間の発生を防ぐため、フィルターの上部に針金状の金属片を入れたものがあり、着用時に鼻の形状に合わせて折り曲げて使用するように指導されているが、正しく使用されていない場合が多い。さらに、その金属片の材料に形状記憶合金を採用するものも開発されているが、実用化には至っていない。加えて、医療現場ではＮ９５マスクなどの着用時に隙間を無くすために着用後のフィットテストが義務付けられており、フィットテストに手間と時間を要するという問題がある。
【０００４】
そこで、本願発明は、顔とマスクの間の隙間を大幅に減少させるマスクホルダーを提供することを目的とする。
【課題を解決するための手段】
【０００５】
本願発明のマスクホルダーは、弾性体から形成され、使用者の頭部に掛けられるベルトと、
前記ベルトによって前記使用者の顔に向けて付勢され、前記使用者が装着したマスクのフィルターの外周部のみを前記顔に押し当てる押圧部と、を有するものとする。
【発明の効果】
【０００６】
本願発明によれば、顔とマスクの間の隙間を大幅に減少させるマスクホルダーを提供することができる。
【図面の簡単な説明】
【０００７】
【図１】本願の第１実施形態に係るマスクホルダーを示す図である。図１（ａ）は正面図、図１（ｂ）は背面図である。
【図２】本願の第１実施形態に係るマスクホルダーを示す断面図である。図１に示すＡ−Ａ断面を示している。
【図３】本願の第１実施形態に係るマスクホルダーを使用者が装着した状態を示す図である。図３（ａ）は平面図、図３（ｂ）は斜視図である。
【図４】本願の第２実施形態に係るマスクホルダーを示す図である。図４（ａ）は正面図、図４（ｂ）は背面図である。
【図５】本願の第２実施形態に係るマスクホルダーを示す図である。図５（ａ）は平面図、図５（ｂ）は斜視図である。
【発明を実施するための形態】
【０００８】
（第１実施形態）
図１から図３を参照して本願の第１実施形態に係るマスクホルダー２について説明する。本第１実施形態に係るマスクホルダー２は、ベルト３と押圧部４とを有している。
【０００９】
ベルト３は、ゴムなどの弾性体から環状に形成され、図３に示すように、使用時には、使用者５の頭部に掛けられる。ベルト３は、押圧部４に形成された環状部６を通すことで、押圧部４に取り付けられている。
【００１０】
押圧部４は、使用時には、ベルト３によって使用者５の顔に向けて付勢される。押圧部４は、図３に示すように、使用者５が装着したマスク７のフィルター７ａの外周部のみを使用者５の顔面に押し当てる。これにより、顔とマスクの間に生じる隙間を大幅に減少させることができ、マスクの機能を向上させ、フィットテストも不要とすることができる。また、フィルター７ａの外周部のみを押圧することで、隙間の発生を防ぎながらも、使用者５が息苦しくなるのを防ぐことができる。さらに、使用者５の顔との相性が良いマスク７のフィルター７ａのみが使用者５の顔に押し当てられるように構成することで、使用者５の肌へのダメージを防ぐことができる。なお、押圧部４は、柔軟性のあるプラスチックから形成することが好ましい。
【００１１】
本第１実施形態においては、押圧部４が、マスク７の外周部を断続的に顔面に押し当てる点において、後述する第２実施形態とは異なる。本第１実施形態のように、断続的に形成することで、必要な箇所を集中的に押圧することが可能となり、マスクホルダー２を安価に提供することができる。なお、顔に取り付けることを考慮し、マスクホルダー２は、意匠用のカバーで覆うことが好ましい。
【００１２】
押圧部４は、中心部８と、複数のアーム９ａ、９ｂ、９ｃ、９ｄ、９ｅ、９ｆ、９ｇ、９ｈとを有することが好ましい。中心部８は、ベルト３の付勢力を受ける。
【００１３】
アーム９ａから９ｈは、図１（ａ）に示すように、正面から見ると中心部８から放射状に延びている。複数のアーム９ａから９ｈの先端部は、使用時には、図３（ｂ）に示すように、マスク７のフィルター７ａの外周部に接する。アーム９ａから９ｈは、図２及び図３（ｂ）に示すように、先端部側の部分（中心部８とは反対側の部分）が、使用者５の鼻に対して凹の向きに湾曲している。これにより、アーム９ａから９ｈが使用者の顔の形状に応じて変形しやすくなる。アーム９ａから９ｈは、その内側に、アーム９ａから９ｈの長手方向に沿って針金が配置されることが好ましい。これにより、アーム９ａから９ｈは、使用者の顔の形状に対応した形状を保つことができ、顔の各部にフィルター７ａを押し当てる力のバランスを適切なものとすることができる。
【００１４】
複数のアーム９ａから９ｈは、鼻用アーム９ａと、頬用アーム９ｂ、９ｃ、９ｄ、９ｅと、顎用アーム９ｆ、９ｇ、９ｈとから構成されることが好ましい。図３（ｂ）に示すように、鼻用アーム９ａの先端部１０ａは、使用者５の鼻に接するフィルター７ａの外周部の部分に接する。頬用アーム９ｂ、９ｃ、９ｄ、９ｅの先端部１０ｂ、１０ｃ、１０ｄ、１０ｅは、使用者５の頬に接するフィルター７ａの外周部の部分に接する。顎用アーム９ｆ、９ｇ、９ｈの先端部１０ｆ、１０ｇ、１０ｈは、使用者５の顎に接するフィルター７ａの外周部の部分に接する。
【００１５】
鼻用アーム９ａは、中心部８から上方へ延び、その先端部１０ａが、使用者５の鼻に接するフィルター７ａの外周部の部分に接する。
【００１６】
複数の頬用アーム９ｂ、９ｃ、９ｄ、９ｅは、第１の頬用アーム９ｂと、第２の頬用アーム９ｃと、第３の頬用アーム９ｄと、第４の頬用アーム９ｅとから構成されることが好ましい。図３（ｂ）に示すように、第１の頬用アーム９ｂの先端部１０ｂは、使用者５の右側の頬の上部に接するフィルター７ａの外周部の部分に接する。第２の頬用アーム９ｃの先端部１０ｃは、使用者５の左側の頬の上部に接するフィルター７ａの外周部の部分に接する。第３の頬用アーム９ｄの先端部１０ｄは、使用者５の右側の頬の中央部に接するフィルター７ａの外周部の部分に接する。第４の頬用アーム９ｅの先端部１０ｅは、使用者５の左側の頬の中央部に接するフィルター７ａの外周部の部分に接する。
【００１７】
複数の顎用アーム９ｆ、９ｇ、９ｈは、第１の顎用アーム９ｆと、第２の顎用アーム９ｇと、第３の顎用アーム９ｈとから構成されることが好ましい。第１の顎用アーム９ｆの先端部１０ｆは、使用者５の顎の中央部に接するフィルター７ａの外周部の部分に接する。第２の顎用アーム９ｇの先端部１０ｇは、使用者５の顎の右側部分に接するフィルター７ａの外周部の部分に接する。第３の顎用アーム９ｈの先端部１０ｈは、使用者５の顎の左側部分に接するフィルター７ａの外周部の部分に接する。
【００１８】
鼻用アーム９ａの先端部１０ａは、図１（ｂ）に示すように、使用者５の鼻に対応する鉤状に形成されていることが好ましい。頬用アーム９ｂ、９ｃ、９ｄ、９ｅの先端部１０ｂ、１０ｃ、１０ｄ、１０ｅと、顎用アーム９ｆ、９ｇ、９ｈの先端部１０ｆ、１０ｇ、１０ｈは、フィルター７ａの外周部に沿って延びる棒状をしていることが好ましい。なお、本第１実施形態においては、アーム９ａから９ｈまで、８本のアームを有するものとしているが、本願発明においては、これに限られず、他の本数とすることができる。例えば、鼻用、左頬用、右頬用、及び、顎用の４本とすることもできる。その場合、アームの数に応じて、先端部の形状及び寸法を適宜変更することができる。
【００１９】
（第２実施形態）
次に、図４及び図５を参照して、本願の第２実施形態に係るマスクホルダー２０について、上記第１実施形態と異なる点を中心に説明する。本願の第２実施形態に係るマスクホルダー２０は、押圧部２４が、マスク７のフィルター７ａの外周部を連続的に使用者５の顔面に押し当てる点において、上記第１実施形態に係るマスクホルダー２とは異なる。
【００２０】
押圧部２４は、図４（ａ）及び図４（ｂ）に示すように、カバー部２４ａと第１の立上り部２４ｂとを有する。カバー部２４ａは、図５（ｂ）に示すように、使用時において、使用者２５が装着するマスク２７のフィルター２７ａに対向する。カバー部２４ａには複数の貫通穴が形成されている。押圧部２４は、シリコンラバーのように弾力があり、柔らかい材質の素材で形成することが好ましい。
【００２１】
第１の立上り部２４ｂは、カバー部２４ａの外周部から、マスク２７のフィルター２７ａ側に突出している。立上り部２４ｂは、マスク２７のフィルター２７ａの外周部に対応する形状に形成されている。立上り部２４ｂは、その内側に、立上り部２４ｂの長手方向に沿って針金が配置されていることが好ましい。これにより、立上り部２４ｂは、使用者の顔の形状に対応した形状を保つことができ、顔の各部にフィルター２７ａを押し当てる力のバランスを適切なものとすることができる。
【００２２】
マスクホルダー２０は、押圧部２４の上部と一体に形成されたゴーグル２２を有することが好ましい。ゴーグル２２は、光透過部２２ａと第２の立上り部２２ｂとを有する。光透過部２２ａは、光を透過する板状の部材から形成され、使用者２５の目に対向する位置に配置される。第２の立上り部２２ｂは、光透過部２２ａの外周部から、使用者２５側の光透過部２２ａよりも使用者２５側の顔面側に突出している。第２の立上り部２２ｂは、第１の立上り部２４ｂの上部と共に、使用者２５の目の周りを囲う。
【００２３】
マスクホルダー２０は、使用時に使用者２５の頭に掛けられるベルト２３を有している。ベルト２３は、ゴムなどの弾性体から紐状に形成され、その両端部がゴーグル２２の第２の立上り部２２ｂに固定されている。ベルト２３は、使用時において、押圧部２４及びゴーグル２２を顔に向けて付勢する。これにより、顔とマスク２７の間の隙間を大幅に減少させると共に、ゴーグル２２によって、使用者２５の目を保護することができる。
【００２４】
なお、本願発明は、上記実施形態に限られるものではなく、種々の変更が可能である。例えば、本願発明のマスクホルダーは、押圧部にフィルターを取り付けた一体型とすることもできる。
【符号の説明】
【００２５】
２、２０  マスクホルダー
３  ベルト
４、２４  押圧部
５、２５  使用者
６  環状部
７、２７  マスク
７ａ、２７ａ  フィルター
８  中心部
９ａ  鼻用アーム
９ｂ  第１の頬用アーム
９ｃ  第２の頬用アーム
９ｄ  第３の頬用アーム
９ｅ  第４の頬用アーム
９ｆ  第１の顎用アーム
９ｇ  第２の顎用アーム
９ｈ  第３の顎用アーム
１０ａ、１０ｂ、１０ｃ、１０ｄ、１０ｅ、１０ｆ、１０ｇ、１０ｈ  先端部
２２  ゴーグル
２２ａ  光透過部
２２ｂ  第２の立上り部
２４ａ  カバー部
２４ｂ  第１の立上り部
【図１】
2022001676.tif 000003
【図２】
2022001676.tif 000004
【図３】
2022001676.tif 000005
【図４】
2022001676.tif 000006
【図５】
2022001676.tif 000007